(57)【特許請求の範囲】
【請求項１】
電子部品の対向配置した接点の一方と接して前記電子部品を電気ケーブルに電気的に接続する接続端子と、
前記電子部品及び前記接続端子を挿着する第１函体と、
該第１函体の底面に対して前記電気ケーブルを挟み込むようにして嵌着される第２函体とで構成し、
前記接続端子に、前記電気ケーブルに対して長手方向の位置を拘束された状態で接続する接続部を備え、
前記電気ケーブルを、幅方向に所定間隔を隔てて配設した複数の平型導体と、該複数の平型導体を一体的に被覆する被覆部材とからなるフラットケーブルで構成するとともに、前記フラットケーブルの長手方向の一部に、厚み方向に偏心する掛合部を形成するとともに、
前記接続部を、前記接続端子を前記第１函体に挿着した状態において前記第１函体の底面から突出した姿勢で前記フラットケーブルの平型導体を厚み方向に貫通して接続する貫通接続部により構成し、
前記第１函体及び第２函体の少なくとも一方の対向面に、前記掛合部の掛合を許容する被掛合部を備え、
前記第１函体の長手方向の両端部に、下方に突出する褄部突出片を備え、
前記第２函体の上面における前記接続端子に対応する箇所に、前記フラットケーブルを厚み方向に貫通した前記貫通接続部の支障を防止する回避凹部を備え、
前記第１函体と第２函体との対向する幅方向両側面の前方側及び後方側に、互いに係合される係合部と被係合部とで構成する係合手段を備え、
該係合手段を、前記接続部より前記長手方向における前後方向の外側の位置に配置するとともに、
前記フラットケーブルの掛合部又は被掛合部の前後端に形成された一対の折り曲げ部を、前記係合手段の係合箇所より前後方向の外側の位置に配置し、
前記掛合部を前記被掛合部に掛合するとともに、前記第２函体の長手方向の両側面及び上面と、前記第１函体の底面及び褄部突出片の内側とで前記掛合部を挟み込むとともに、前記係合手段を係合させて前記第１函体と前記第２函体とを嵌着し、
前記第１函体と前記第２函体とを嵌着する際に、前記第１函体に挿着した前記接続端子の前記貫通接続部で、前記フラットケーブルの前記掛合部における前記平型導体を厚み方向に貫通させて、前記電子部品と前記フラットケーブルとを電気的に接続する
接続構造。
【発明の詳細な説明】
【技術分野】
【０００１】
この発明は、例えば車両の照明装置や制御装置に使用される電子部品を、フラットケーブル等の電気ケーブルに接続する接続構造に関する。
【背景技術】
【０００２】
従来から、ＬＥＤ灯具などの電子部品と、フラットケーブルなどの電気ケーブルとを接続する構造及び方法としては、特許文献１のＬＥＤ灯具とフラットケーブルの接続構造及び接続方法が提案されている（特許文献１参照）。
【０００３】
この接続構造及び接続方法は、例えばＬＥＤ灯具のリード部に設けられた接続タブ部をフラットケーブルのフラット導体に相当する位置に重ね、接続タブ部に跨らせた接続子の突き刺し片を、フラット導体に突き刺して貫通した部分を内側にカールさせて接続するものである。
【０００４】
しかし、ＬＥＤ灯具とフラットケーブルとは、接続子の突き刺し片をフラットケーブルのフラット導体に突き刺して固定しているので、例えばフラットケーブルに対して変形や伸長等による長手方向の外力が付与された際、フラットケーブルのフラット導体と接続子の突き刺し片との接続部に外力の影響が及ぶことがあり、電気的な接続状態が不安定となるおそれがある。
【特許文献１】特開２００５−５０９８６号公報
【発明の開示】
【発明が解決しようとする課題】
【０００５】
この発明は、接続信頼性を向上させることができる接続構造の提供を目的とする。
【課題を解決するための手段】
【０００６】
この発明は、電子部品の対向配置した接点の一方と接して前記電子部品を電気ケーブルに電気的に接続する接続端子と、前記電子部品及び前記接続端子を挿着する第１函体と、該第１函体の底面に対して前記電気ケーブルを挟み込むようにして嵌着される第２函体とで構成し、前記接続端子に、前記電気ケーブルに対して長手方向の位置を拘束された状態で接続する接続部を備え、前記電気ケーブルを、幅方向に所定間隔を隔てて配設した複数の平型導体と、該複数の平型導体を一体的に被覆する被覆部材とからなるフラットケーブルで構成するとともに、前記フラットケーブルの長手方向の一部に、厚み方向に偏心する掛合部を形成するとともに、前記接続部を、前記接続端子を前記第１函体に挿着した状態において前記第１函体の底面から突出した姿勢で前記フラットケーブルの平型導体を厚み方向に貫通して接続する貫通接続部により構成し、前記第１函体及び第２函体の少なくとも一方の対向面に、前記掛合部の掛合を許容する被掛合部を備え、前記第１函体の長手方向の両端部に、下方に突出する褄部突出片を備え、前記第２函体の上面における前記接続端子に対応する箇所に、前記フラットケーブルを厚み方向に貫通した前記貫通接続部の支障を防止する回避凹部を備え、前記第１函体と第２函体との対向する幅方向両側面の前方側及び後方側に、互いに係合される係合部と被係合部とで構成する係合手段を備え、該係合手段を、前記接続部より前記長手方向における前後方向の外側の位置に配置するとともに、前記フラットケーブルの掛合部又は被掛合部の前後端に形成された一対の折り曲げ部を、前記係合手段の係合箇所より前後方向の外側の位置に配置し、前記掛合部を前記被掛合部に掛合するとともに、前記第２函体の長手方向の両側面及び上面と、前記第１函体の底面及び褄部突出片の内側とで前記掛合部を挟み込むとともに、前記係合手段を係合させて前記第１函体と前記第２函体とを嵌着し、前記第１函体と前記第２函体とを嵌着する際に、前記第１函体に挿着した前記接続端子の前記貫通接続部で、前記フラットケーブルの前記掛合部における前記平型導体を厚み方向に貫通させて、前記電子部品と前記フラットケーブルとを電気的に接続するであることを特徴とする。
【０００７】
前記電子部品には、ＬＥＤチップ等の光源デバイスや各種センサ、さらには供給電圧を調整する抵抗器や、高い電圧が印加される場合のバイパス回路を構成するダイオード等であることを含む。  
前記接続端子は、電子部品を電気ケーブルに直接接続するピアス端子等の端子であることを含む。
【０００８】
前記第１函体は、ＬＥＤチップ、抵抗器等の電子デバイスの組付けが許容され、上面開放の直方体形状に形成されたデバイスホルダーであることを含む。  
前記第２函体は、第１函体であるデバイスホルダーの底面と合致する大きさ及び形状に形成され、フラットケーブル等の電気ケーブルを挟み込むようにしてデバイスホルダーの底面に対して嵌着されるアンダーホルダーであることを含む。  
【０００９】
なお、電気ケーブルとして丸撚り線を幅方向に並べて一体化したリボン電線を用いてもよいが、放熱効果が高いフラットケーブルがより好ましい。  
また、前後方向の外側の位置とは、電気ケーブルの長手方向において、接続部より係合手段の全てが外側となる位置、あるいは、接続部と係合手段とが長手方向に重なり合い、残りの一部が外側となる位置である。
【発明の効果】
【００１０】
この発明によれば、電気ケーブルに対して外力が付与されても、接続端子と電気ケーブルとの接続部にまで外力の影響が及ぶことがなく、接続信頼性が向上する。
【発明を実施するための最良の形態】
【００１１】
本発明のＬＥＤモジュール１は、図１乃至７に示すように、電子デバイス３（ＬＥＤチップ３０，抵抗器４０）における対向配置した接点３２，４１のうち一方側の一方側接点３２ａ，４１ａと接して電子デバイス３をフラットケーブル１００に電気的に接続する接続端子６と、接続端子６を挿着するデバイスホルダー７と、デバイスホルダー７の底面に対してフラットケーブル１００を挟み込むようにして嵌着されるアンダーホルダー９とで構成し、接続端子６に、フラットケーブル１００の導電体１０１に貫通して接続するピアス刃６３ｂを備えた接続構造である。
【００１２】
前記フラットケーブル１００は、２本の導電体１０１と、該導電体１０１を被覆する不導電性ラミネートシート１０２とで構成し、フラットケーブル１００の長手方向Ｌの一部に、厚み方向Ｈに偏心する掛合部１１０を形成している。
【００１３】
なお、前記デバイスホルダー７の底面と対向するアンダーホルダー９の上面には、前記掛合部１１０の掛合を許容する掛合溝９１を備えている。
【００１４】
また、前記デバイスホルダー７とアンダーホルダー９との対向する幅方向Ｗ両側面の前方側及び後方側に、互いに係合される凸状の係合爪７ａ，７ｂと凹状の被係合部９３ａ，９３ｂとを形成している。また、係合爪７ａ，７ｂ及び被係合部９３ａ，９３ｂは、デバイスホルダー７の底面に突出される接続端子６のピアス刃６３ｂより長手方向Ｌの外側の位置に配置している。
【００１５】
上述するＬＥＤモジュール１の構成について、図１乃至図７とともに、詳述する。なお、図１はＬＥＤモジュール１の斜視図を示し、図２はＬＥＤモジュール１の底面図を示し、図３はＬＥＤモジュールのＡ−Ａ線矢視断面図を示し、図４はＬＥＤモジュール１の分解斜視図を示し、図５は中間端子５及び接続端子６が組み付けられたデバイスホルダー７と、アンダーホルダー９と、フラットケーブル１００の組み付けについての斜視図による説明図を示し、図６は中間端子５及び接続端子６が組み付けられたデバイスホルダー７と、フラットケーブル１００が挿着されたアンダーホルダー９との組み付けについての斜視図による説明図を示し、図７は接続端子６のピアス刃６３ｂと、デバイスホルダー７の係合爪７ａ，７ｂと、フラットケーブル１００の折り曲げ部１００ａ，１００ｂとの位置関係についての説明図を示している。
【００１６】
ＬＥＤモジュール１は、図４に示すように、デバイスホルダー７に挿着したＬＥＤチップ３０や抵抗器４０からなる電子デバイス３をフラットケーブル１００に接続する接続ユニットである。
【００１７】
すなわち、第１函体であるデバイスホルダー７と、デバイスホルダー７に挿着されるＬＥＤチップ３０及び抵抗器４０と、ＬＥＤチップ３０と抵抗器４０をフラットケーブル１００に接続する接続端子６（６ａ，６ｂ）と、ＬＥＤチップ３０と抵抗器４０を固定する中間端子５と、中間端子５を上方から覆うカバー部材２と、第２函体であるアンダーホルダー９とを備えている。
【００１８】
カバー部材２は、樹脂製のプレートで形成された平面視縦長矩形体のカバー本体２ａと、該カバー本体２ａにおける、フラットケーブル１００の長手方向Ｌ（以下、単に「長手方向」とする）の両端に、デバイスホルダー７の上面褄部に係合する係合爪部２ｂとを備えており、デバイスホルダー７に組付けられたＬＥＤチップ３０、抵抗器４０、中間端子５及び接続端子６を上方から覆うようにデバイスホルダー７に上方から組付けるように構成している。
【００１９】
また、カバー本体２ａにおける、フラットケーブル１００の幅方向Ｗ（以下、単に「幅方向」とする）の中央には、デバイスホルダー７のカバー嵌着部７０Ａに嵌着された際に、内部に挿着されたＬＥＤチップ３０の発光部３１を外部から視認できる平面視円形の円形窓２１を備えている。
【００２０】
電子デバイス３は、光源となるＬＥＤ３０と、ＬＥＤモジュール１の外部から印加される電圧をＬＥＤ３０の特性に合わせて所定電圧に調整する電圧調整回路を構成する抵抗器４０とで構成している。なお、ＬＥＤ３０は、幅方向Ｗ（フラットケーブル１００の幅方向と同じ方向）及び長手方向Ｌ（フラットケーブル１００の長手方向と同じ方向）の長さに対して高さの低い約１〜２ｍｍ角の略直方体で形成されている。
【００２１】
前記ＬＥＤ３０は上面に平面視円形の発光部３１を備えるとともに、幅方向Ｗの対向する両側面に底面から連続するＬ型の接点３２を備えている。なお、接点３２のうち、図４の左奥側を一方側接点３２ａとし、右手前側を他方側接点３２ｂとしている。
【００２２】
抵抗器４０は、ＬＥＤ３０より幅広、同程度の奥行き、並びに１／４程度の高さで形成された幅方向Ｗに長い薄型の直方体形状であり、幅方向Ｗの対向する両側面に底面から上面まで連続する接点４１を備えている。なお、接点４１のうち、図４の左奥側を一方側接点４１ａとし、右手前側を他方側接点４１ｂとしている。
【００２３】
このような構成のＬＥＤ３０と抵抗器４０とは、フラットケーブル１００の長手方向Ｌに沿って、図４における手前側に抵抗器４０を、奥側にＬＥＤ３０を、対向する接点３２ａ、３２ｂ及び接点４１ａ、４１ｂが幅方向Ｗにそれぞれ並ぶように配置されている。
【００２４】
中間端子５は、１枚の適宜の弾性を有する銅合金製のプレートから形成される。詳しくは、プレス加工により、ＬＥＤ３０および抵抗器４０が配置される部品配置開口５５ａ，５５ｂを打ち抜き、長手方向Ｌに所定間隔を隔てて配置した３本の平行な幅方向Ｗのメインスプリング５１と、３本のメインスプリング５１の端部を連結する長手方向Ｌの２本の平行する長手方向フレーム５３（５３ａ，５３ｂ）とで構成された平面視日の字型に形成している。
【００２５】
メインスプリング５１は、幅方向Ｗの中央付近に、高さ方向のサインカーブ形状で形成された振幅部５１ａを備え、振幅部５１ａによる幅方向Ｗの付勢力によってスプリングを構成している。
【００２６】
３本のメインスプリング５１の端部を連結する長手方向Ｌの２本の長手方向フレーム５３のうち、図４における右手前側の他方側長手方向フレーム５３ｂの部品配置開口５５ａ，５５ｂ側の側面には、ＬＥＤ３０や抵抗器４０の他方側接点３２ｂ，４１ｂと接する正面視逆Ｕ型の端子接触部５２を備えている。
【００２７】
端子接触部５２は、部品配置開口５５ａ，５５ｂ側がフリーで、長手方向フレーム５３側が長手方向フレーム５３の側面に固定された片側支持状態に形成され、逆Ｕ字形状による幅方向Ｗの付勢力によってスプリングを構成している。なお、本実施例において、中間端子５は銅合金で構成したが、導電性を有すれば金属製部材以外であってもよい。
【００２８】
デバイスホルダー７は、電子デバイス３と、中間端子５と、接続端子６とを挿着固定する、上面開放の直方体形状に形成されたホルダーであり、図２乃至図５に示すように、上面の開放部分に、長手方向Ｌの両側面と上面とに渡ってカバー部材２が嵌着されるカバー嵌着部７０Ａを形成している。
【００２９】
また、幅方向Ｗ両側面の後方側には、アンダーホルダー９の被係合部９３ａに対して係合される係合爪７ａを形成している。また、幅方向Ｗ両側面の前方側には、アンダーホルダー９の被係合部９３ｂに対して係合される係合爪７ｂを形成している。また、長手方向の両褄面の中央下端には、下方に突出する褄部突出片７ｃを形成している。また、一対の係合爪７ａ，７ｂは、デバイスホルダー７の底面に突出される接続端子６のピアス刃６３ｂより長手方向Ｌの外側の位置に配置されている。
【００３０】
なお、デバイスホルダー７の底面は、アンダーホルダー９の上面と合致する大きさ及び形状に形成されている。
【００３１】
カバー嵌着部７０Ａ内側の上面の幅方向Ｗの中央には、電子デバイス３及び中間端子５を挿着固定するデバイス挿着凹部７０を構成している。また、底面に接続端子６を挿着固定する接続端子挿着凹部７９を備えている。
【００３２】
デバイス挿着凹部７０は、上方からの中間端子５の挿着ができるよう、中間端子５の平面形状より一回り大きく形成され、部品配置開口５５ａ，５５ｂに対応する部分に、囲いブロック７１（７１ａ，７１ｂ）を配置している。したがって、部品配置開口５５ａ，５５ｂと囲いブロック７１とをはめ合わせて挿着した中間端子５は、デバイス挿着凹部７０内における水平方向を略固定することができる。
【００３３】
なお、囲いブロック７１は、平面視内側に挿着する電子デバイス３の側方を三方向から囲繞する、図４における右手前側が開放された角構成のＵ型、即ち逆コの字型に形成され、左奥側の底面部分に、デバイスホルダー７の底面側の接続端子挿着凹部７９に挿着された接続端子６の接触プレート６１の挿通を許容する貫通孔７２を備えている。
【００３４】
後述する接続端子６の挿着を許容する接続端子挿着凹部７９は、それぞれのピアス部６３の挿着を許容する溝形状で構成するとともに、上述の貫通孔７２を備えている。
【００３５】
接続端子６は、ＬＥＤ３０をフラットケーブル１００に接続するＬＥＤ用接続端子６ｂと、抵抗器４０をフラットケーブル１００に接続する抵抗用接続端子６ａの２種類があり、それぞれは上から順に、ＬＥＤチップ３及び抵抗器４の接触端子３２，４１と接触する接触凸部６１ａを有する接触プレート６１と、該接触プレート６１に対して略直角で平面視カギ状の水平プレート部６２と、該水平プレート部６２の先端に備えたピアス部６３とで構成している。
【００３６】
抵抗用接続端子６ａとＬＥＤ用接続端子６ｂとは、水平プレート部６２における幅方向Ｗの長さとカギ状の向きとを調整することでピアス部６３が、フラットケーブル１００の導電体１０１の位置に合うとともに、長手方向Ｌの位置が合うように配置することができる。
【００３７】
ピアス部６３は、上方に凸な正面視半円形のルーフ部６３ａと、該ルーフ部６３ａの幅方向Ｗ両端から下方に突出するピアス刃６３ｂとで構成している。なお、本実施例においては、１つのピアス部６３には、一端側で長手方向Ｌの所定間隔を隔てて配置した２枚のピアス刃６３ｂと他端側の１枚のピアス刃６３ｂとの計３枚のピアス刃６３ｂを備えている。
【００３８】
なお、中間端子５及び接続端子６は、０．１〜０．５ｍｍ厚の銅合金製板材で構成しているが、ＬＥＤ３０のサイズ等に合わせて、０．２〜０．２５ｍｍ厚程度の銅合金製板材が好適である。また、導電性を有するものであれば良く、前記銅合金に限定されない。
【００３９】
フラットケーブル１００は、図３、図４にも示すように、幅方向Ｗに所定間隔を隔てて配設した２本の導電体１０１と、２本の導電体１０１を一体的に被覆する不導電性ラミネートシート１０２とで構成している。なお、図中においてフラットケーブル１００の一部のみを示しているが、フラットケーブル１００は、必要な長さで形成されている。
【００４０】
また、フラットケーブル１００は可撓性を有しており、折り曲げによって、側面視凸状、すなわち他の部分より高い段状、且つアンダーホルダー９の長さ分の面状体で構成する掛合部１１０を形成している。
【００４１】
掛合部１１０は、フラットケーブル１００を谷折線Ａで谷折りし、山折線Ｂで山折りして、側面視凸状の掛合部１１０を厚み方向Ｈに偏心して形成する。なお、谷折線Ａと山折線Ｂとの間隔はアンダーホルダー９の掛合溝９１内側の高さと略同一に形成され、山折線Ｂ同士の間隔はアンダーホルダー９の掛合溝９１内側の長さと略同一に形成されている。また、掛合部１１０の前後端に形成された一対の折り曲げ部１００ａ，１００ｂは、デバイスホルダー７の係合爪７ａ，７ｂとアンダーホルダー９の被係合部９３ａ，９３ｂとの係合箇所より長手方向Ｌの外側の位置に配置されている。
【００４２】
アンダーホルダー９は、上面に、フラットケーブル１００の係着を許容する、フラットケーブル１００の掛合部１１０よりわずかに幅が広く、深さがフラットケーブル１００の厚さよりわずかに深い凹状の掛合溝９１を厚み方向Ｈに偏心して形成している。また、図２、図３に示すように、幅方向Ｗ両側面の後方側には、デバイスホルダー７の係合爪７ａが係合される凹状の被係合部９３ａを形成している。
【００４３】
また、幅方向Ｗ両側面の前方側には、デバイスホルダー７の係合爪７ｂが係合される凹状の被係合部９３ｂを形成している。また、一対の被係合部９３ａ，９３ｂは、デバイスホルダー７の底面に突出されるピアス部６３のピアス刃６３ｂより長手方向Ｌの外側の位置に配置されている。
【００４４】
また、掛合溝９１の平面視中央付近には、フラットケーブル１００を貫通したピアス刃６３ｂの支障を防止する回避凹部９２を備えている。
【００４５】
次に、それぞれを前記構成で構成したＬＥＤモジュール１の組み付けについて説明する。
【００４６】
まず、図４に示すように、デバイスホルダー７の接続端子挿着凹部７９に、ピアス刃６３ｂが下方に突出する姿勢に保持した接続端子６を、貫通孔７２に接触プレート６１が貫通するように挿着する。
【００４７】
この接続端子挿着凹部７９への接続端子６の挿着によって、接続端子６は、ピアス刃６３ｂがデバイスホルダー７の底面から突出する態様となり、貫通孔７２を貫通した接触プレート６１が、囲いブロック７１の平面視内側からデバイス挿着凹部７０に突出する態様となる。
【００４８】
そして、接続端子６が挿着されたデバイスホルダー７のデバイス挿着凹部７０の上方から中間端子５を挿着する。これにより、振幅部５１ａが囲いブロック７１の側部に配置されるとともに、端子接触部５２が接触プレート６１と幅方向Ｗにおける対向する位置に配置され、一方側長手方向フレーム５３ａによって幅方向Ｗの位置が固定された態様で挿着することができる。
【００４９】
中間端子５及び接続端子６が挿着されたデバイス挿着凹部７０の上方から電子デバイス３を挿着する。詳しくは、抵抗器４０は、抵抗用接続端子６ａの接触プレート６１と抵抗器配置開口５５ａの端子接触部５２との間に上方から挟み込むように割り込ませて挿着する。
【００５０】
ＬＥＤ３０は、ＬＥＤ用接続端子６ｂの接触プレート６１とＬＥＤ配置開口５５ｂの端子接触部５２との間に上方から挟み込むように割り込ませて挿着する。これにより、電子デバイス３と、中間端子５と、接続端子６とをデバイスホルダー７に組付けることができる（図５参照）。
【００５１】
次に、アンダーホルダー９の掛合溝９１に、フラットケーブル１００の掛合部１１０を上方から被せた後（図６参照）、電子デバイス３、中間端子５、接続端子６が組付けられたデバイスホルダー７と、アンダーホルダー９との対向面間にフラットケーブル１００の掛合部１１０を上下方向に挟み込む。
【００５２】
掛合部１１０を挟み込む際に、デバイスホルダー７の係合爪７ａ，７ｂとアンダーホルダー９の被係合部９３ａ，９３ｂとを、デバイスホルダー７の底面に突出された接続端子６のピアス刃６３ｂより長手方向Ｌの外側の位置で互いに係合して、デバイスホルダー７の底面に対してアンダーホルダー９を下方から嵌着する（図２、図３参照）。
【００５３】
また、アンダーホルダー９の掛合溝９１を形成する長手方向の両側面、すなわち両褄部及び上面と、デバイスホルダー７の底面及び褄部突出片７ｃ，７ｃの内側とでフラットケーブル１００の掛合部１１０を挟み込む。
【００５４】
これにより、デバイスホルダー７の底面から下方に突出するピアス部６３のピアス刃６３ｂは、接続端子挿着凹部７９を介してルーフ部６３ａが下方に押圧され、フラットケーブル１００の不導電性ラミネートシート１０２ごと導電体１０１を貫通して、接続端子６と導電体１０１とが電気的に接続される。
【００５５】
この後、カバー部材２を、電子デバイス３、中間端子５、接続端子６が組付けられたデバイスホルダー７のカバー嵌着部７０Ａに上方から嵌着すれば、ＬＥＤモジュール１の組み立てが完了する（図１参照）。
【００５６】
前記構成の接続構造によれば、デバイスホルダー７とアンダーホルダー９とを嵌着する際にフラットケーブル１００の掛合部１１０を上下方向に挟み込み、デバイスホルダー７の底面に突出する接続端子６のピアス刃６３ｂを、フラットケーブル１００の導電体１０１に貫通して接続するので、電子デバイス３のＬＥＤチップ３０と抵抗器４０とをフラットケーブル１００に対して安定した状態に接続することができる。
【００５７】
また、アンダーホルダー９の掛合溝９１にフラットケーブル１００の掛合部１１０を被せた後、デバイスホルダー７の係合爪７ａ，７ｂとアンダーホルダー９の被係合部９３ａ，９３ｂとを、デバイスホルダー７の底面に突出された接続端子６のピアス刃６３ｂより長手方向Ｌの外側の位置で互いに係合する。
【００５８】
これにより、フラットケーブル１００に対して変形や伸長等による長手方向Ｌの外力が付与された際に、デバイスホルダー７の係合爪７ａ，７ｂとアンダーホルダー９の被係合部９３ａ，９３ｂとの係合箇所より外側に形成されたフラットケーブル１００の折り曲げ部１００ａ，１００ｂに対して外力が集中して付与されることになる。つまり、接続端子６のピアス刃６３ｂとフラットケーブル１００の導電体１０１との接続部にまで外力の影響が及ぶことがなく、接続信頼性が向上する。
【００５９】
また、アンダーホルダー９の掛合溝９１にフラットケーブル１００の掛合部１１０を掛合させて、デバイスホルダー７とアンダーホルダー９とを嵌着させるため、フラットケーブル１００に対する位置を容易に定めることができる。
【００６０】
したがって、接続端子６のピアス刃６３ｂをフラットケーブル１００の導電体１０１に対して確実に貫通させて、電気的に接続することができる。
【００６１】
以上、この発明の構成と、上述の実施形態との対応において、
この発明の接続構造は、ＬＥＤモジュール１に対応し、
以下同様に、
前後方向は、長手方向Ｌに対応し、
電子部品は、電子デバイス３、ＬＥＤ３０、抵抗器４０に対応し、
一方の接点は、一方側接点３２ａ，４１ａに対応し、
他方の接点は、他方側接点３２ｂ，４１ｂに対応し、
端子部材は、中間端子５に対応し、
接続端子は、接続端子６に対応し、
接続部及び貫通接続部は、ピアス刃６３ｂに対応し、
第１函体は、デバイスホルダー７に対応し、
第２函体は、アンダーホルダー９に対応し、
電気ケーブルは、フラットケーブル１００に対応し、
平型導体は、導電体１０１に対応し、
被覆部材は、不導電性ラミネートシート１０２に対応し、
係合手段の係合部は、係合爪７ａ，７ｂに対応し、
係合手段の被係合部は、被係合部９３ａ，９３ｂに対応し、
被掛合部は、掛合溝９１に対応するも、
この発明は、上述の実施形態の構成のみに限定されるものではなく、多くの実施の形態を得ることができる。
【００６２】
実施例では、フラットケーブル１００の掛合部１１０を側面視凸状に形成し、その掛合部１１０が掛合されるアンダーホルダー９の掛合溝９１を側面視凹状に形成しているが、例えば掛合部１１０を側面視凹状に形成し、掛合溝９１を側面視凸状に形成してもよい。
【図面の簡単な説明】
【００６３】
【図１】ＬＥＤモジュールの斜視図。
【図２】ＬＥＤモジュールの底面図。
【図３】図２に示すＬＥＤモジュールのＡ−Ａ線矢視断面図。
【図４】ＬＥＤモジュールの分解斜視図。
【図５】デバイスホルダー、アンダーホルダー、フラットケーブルの組み付けについての説明図。
【図６】デバイスホルダー、アンダーホルダーの組み付けについての説明図。
【図７】デバイスホルダーの係合爪、接続端子のピアス刃、フラットケーブルの折り曲げ部の位置関係についての説明図。
【符号の説明】
【００６４】
１…ＬＥＤモジュール
３…電子デバイス
３０…ＬＥＤ
４０…抵抗器
６…接続端子
６３ｂ…ピアス刃
７…デバイスホルダー
７ａ，７ｂ…係合爪
９…アンダーホルダー
９１…掛合溝
９３ａ，９３ｂ…被係合部
１００…フラットケーブル
１００ａ，１００ｂ…折り曲げ部
１０１…導電体
１０２…不導電性ラミネートシート
１１０…掛合部
Ｌ…長手方向
Ｗ…幅方向
Ｈ…厚み方向
【図１】
0005323390.tif 000002
【図２】
0005323390.tif 000003
【図３】
0005323390.tif 000004
【図４】
0005323390.tif 000005
【図５】
0005323390.tif 000006
【図６】
0005323390.tif 000007
【図７】
0005323390.tif 000008